(57)【要約】【課題】画面の輝度（明るさ）に関して視聴者に不自然さを感じさせない範囲で、光源となるＬＥＤの数や駆動電力を削減して省力化を図り得るようにしたバックライトユニット及びそれを用いた映像表示装置を提供すること。【解決手段】実施の形態によれば、バックライトユニットは、光源からの出射光を導光板により液晶表示パネルにその背面側から照射するように導くエッジライト型のバックライトユニットを対象としている。そして、液晶表示パネルにおける映像表示画面の中央部に対する照射光量を、画面周縁部に対する照射光量よりも大きく設定する制御手段を備えている。【選択図】    図２
2014041725.tif 000002
【特許請求の範囲】
【請求項１】
光源からの出射光を導光板により液晶表示パネルにその背面側から照射するように導くエッジライト型のバックライトユニットであって、
前記液晶表示パネルにおける映像表示画面の中央部に対する照射光量を、画面周縁部に対する照射光量よりも大きく設定する制御手段を具備するバックライトユニット。
【請求項２】
前記制御手段は、前記光源から出射される光のうち、前記液晶表示パネルにおける映像表示画面の中央部に照射される光の光量を、画面周縁部に照射される光の光量よりも大きく設定する請求項１記載のバックライトユニット。
【請求項３】
前記光源は、前記導光板の一端部に沿って配列された複数のＬＥＤを有し、
前記制御手段は、
前記複数のＬＥＤのうち、前記液晶表示パネルにおける映像表示画面の中央部に光を照射するＬＥＤを２チップＬＥＤとし、画面周縁部に光を照射するＬＥＤを１チップＬＥＤとする手法と、
前記複数のＬＥＤのうち、前記液晶表示パネルにおける映像表示画面の中央部に光を照射するＬＥＤのチップ面積を、画面周縁部に光を照射するＬＥＤのチップ面積よりも大きくする手法と、
前記複数のＬＥＤが設置される領域のうち、前記液晶表示パネルにおける映像表示画面の中央部に光を照射可能な領域に設置されるＬＥＤの密度を、画面周縁部に光を照射可能な領域に設置されるＬＥＤの密度よりも高くする手法と、
前記液晶表示パネルにおける映像表示画面の中央部に光を照射するＬＥＤに与える駆動電流を、画面周縁部に光を照射するＬＥＤに与える駆動電流よりも大きくする手法との少なくともいずれかの手法を用いて、
前記液晶表示パネルにおける映像表示画面の中央部に対する照射光量を、画面周縁部に対する照射光量よりも大きく設定する請求項１記載のバックライトユニット。
【請求項４】
前記制御手段は、
前記液晶表示パネルにおける映像表示画面について、その水平方向の中央部に対する照射光量を、画面の水平方向の周縁部に対する照射光量よりも大きく設定し、
前記映像表示画面の垂直方向に対する照射光量は略均一になるように設定する請求項１記載のバックライトユニット。
【請求項５】
前記光源は、前記導光板の一端部に沿って配列された複数のＬＥＤを有し、
前記導光板には、前記複数のＬＥＤの配列方向に直交する方向に、当該ＬＥＤから入射される光の拡散を防止するための山状あるいは溝状のレンズ部が形成される請求項１記載のバックライトユニット。
【請求項６】
前記レンズ部は、前記導光板に前記ＬＥＤから所定間隔離間させて形成される請求項５記載のバックライトユニット。
【請求項７】
前記レンズ部は、前記ＬＥＤの近傍がテーパ状に形成される請求項５記載のバックライトユニット。
【請求項８】
前記光源は、前記導光板の一端部に沿って配列された複数のＬＥＤを有し、
前記複数のＬＥＤのうち、前記液晶表示パネルにおける映像表示画面の中央部に光を照射する第１のＬＥＤへの通電電流を第１のパルス幅変調信号で制御することにより当該第１のＬＥＤの発光量を制御する第１の発光量制御手段と、
前記複数のＬＥＤのうち、前記液晶表示パネルにおける映像表示画面の周縁部に光を照射する第２のＬＥＤへの通電電流を第２のパルス幅変調信号で制御することにより当該第２のＬＥＤの発光量を制御する第２の発光量制御手段とを具備する請求項１記載のバックライトユニット。
【請求項９】
前記光源を構成する複数のＬＥＤの順方向電圧の総和を、
前記第２のＬＥＤを所定数ずつに分けた複数の単位ＬＥＤ群のうち、１つの単位ＬＥＤ群を構成するＬＥＤの順方向電圧の総和の略整数倍となるように設定する請求項８記載のバックライトユニット。
【請求項１０】
光源からの出射光を導光板により液晶表示パネルにその背面側から照射するように導くエッジライト型のバックライトユニットを備えた映像表示装置であって、
前記バックライトユニットが前記液晶表示パネルにおける映像表示画面の中央部に対する照射光量を、画面周縁部に対する照射光量よりも大きく設定する制御手段を具備する映像表示装置。
【発明の詳細な説明】
【技術分野】
【０００１】
この発明の実施の形態は、エッジライト型のバックライトユニット及びそれを用いた映像表示装置に関する。
【背景技術】
【０００２】
周知のように、現在では、映像の表示に液晶表示パネルを使用した映像表示装置が採用されている。この映像表示装置は、画素毎に光の透過量を制御する液晶表示パネルの背面にバックライトを併設し、当該バックライトからの照明光を液晶表示パネルに透過させることにより映像を再現している。
【０００３】
これにより、この種の映像表示装置は、ＣＲＴ（cathode ray tube）を使用した映像表示装置に比べて薄く軽量に構成することができるようになる。そして、特に、画面の大型化が容易に可能となるため、現在のように大画面指向のデジタルテレビジョン放送受信装置が普及した要因ともなっている。
【０００４】
ところで、このような映像表示装置のバックライトは、例えば蛍光管や放電灯のような冷陰極管等を光源として使用しているため、駆動電力が高く寿命も短いという不都合がある。そこで、現在では、バックライトの光源として、低電圧駆動が可能で耐久性に優れているという点から、白色ＬＥＤ（light emitting diode）が使用されている。
【０００５】
そして、この種の映像表示装置では、そのバックライトをエッジライト型として、つまり、液晶表示パネルの端面に沿って複数のＬＥＤを配設し、各ＬＥＤからの出射光を導光板により液晶表示パネルの背面に略均一となるように照射する構造として、より一層の薄型化を促進することも考えられている。
【０００６】
しかしながら、このようにエッジライト型のバックライトを使用した映像表示装置は、まだまだ開発途上にある段階であり、その実用化に際しては種々の点で改良すべき余地が多く残されている。特に、バックライトを構成するＬＥＤの数や駆動電力等を削減して省力化を図ることが重要となっている。
【先行技術文献】
【特許文献】
【０００７】
【特許文献１】特許第４０７３４３５号公報
【発明の概要】
【発明が解決しようとする課題】
【０００８】
画面の輝度（明るさ）に関して視聴者に不自然さを感じさせない範囲で、光源となるＬＥＤの数や駆動電力を削減して省力化を図り得るようにしたバックライトユニット及びそれを用いた映像表示装置を提供することを目的とする。
【課題を解決するための手段】
【０００９】
実施の形態によれば、バックライトユニットは、光源からの出射光を導光板により液晶表示パネルにその背面側から照射するように導くエッジライト型のバックライトユニットを対象としている。そして、液晶表示パネルにおける映像表示画面の中央部に対する照射光量を、画面周縁部に対する照射光量よりも大きく設定する制御手段を備える。
【図面の簡単な説明】
【００１０】
【図１】実施の形態としての液晶表示装置の一例を概略的に説明するために示す側面図。
【図２】同実施の形態における液晶表示装置を構成するバックライトユニットの一例を説明するために示す正面図。
【図３】同実施の形態におけるバックライトユニットを構成するＬＥＤバーの一例を説明するために示す平面図。
【図４】同実施の形態におけるバックライトユニットの変形例を説明するために示す正面図。
【図５】同実施の形態におけるバックライトユニットの変形例を詳細に説明するために示す図。
【図６】同実施の形態におけるバックライトユニットの他の変形例を説明するために示す側面図。
【図７】同実施の形態におけるバックライトユニットのさらに他の変形例を説明するために示す側面図。
【図８】同実施の形態におけるＬＥＤバーの印刷配線基板とＬＥＤとの接続関係の一例を説明するために示す平面図。
【図９】同実施の形態におけるＬＥＤバーのＬＥＤの接続に関する等価回路を説明するために示す回路構成図。
【図１０】同実施の形態におけるＬＥＤバーのＬＥＤを通電駆動するための駆動回路の一例を説明するために示す回路構成図。
【図１１】同実施の形態におけるバックライトユニットを構成するＬＥＤバーの他の例を説明するために示す平面図。
【図１２】同実施の形態におけるバックライトユニットを構成するＬＥＤバーのさらに他の例を説明するために示す平面図。
【発明を実施するための形態】
【００１１】
以下、実施の形態について図面を参照して詳細に説明する。図１は、この実施の形態で説明する映像表示装置としての液晶表示装置１１の一例を概略的に示している。この液晶表示装置１１は、画素毎に光の透過量を制御する液晶表示パネル１２と、この液晶表示パネル１２の背面に照明光を照射するバックライトユニット１３とを備えている。
【００１２】
このうち、上記液晶表示パネル１２は、画素駆動側の基板モジュール１４と対向電極側の基板モジュール１５とを、相互に面対向させた状態で所定間隔離間させて併設し、両基板モジュール１４，１５の相互間に液晶を封入して液晶層１６を形成している。
【００１３】
また、上記画素駆動側の基板モジュール１４は、ガラス基板１４ａの一方の面側に偏光板１４ｂを積層し、当該ガラス基板１４ａの他方の面側に、画素電極や駆動用の薄膜トランジスタ等が形成された透明導電膜１４ｃと、配向膜１４ｄとを積層している。
【００１４】
さらに、上記対向電極側の基板モジュール１５は、ガラス基板１５ａの一方の面側に、配向膜１５ｂと、対向電極が形成された透明導電膜１５ｃと、カラーフィルタ１５ｄとを積層し、当該ガラス基板１５ａの他方の面側に偏光板１５ｅを積層している。
【００１５】
また、上記バックライトユニット１３は、エッジライト型の構造を有しており、液晶表示パネル１２の背面に面対向するように設置された導光板１７を備えている。この導光板１７には、その一端部（図１では下端部）に光源ユニット１８が設置されるとともに、その液晶表示パネル１２に対向する面と反対側の面に反射板１９が設置されている。
【００１６】
そして、このバックライトユニット１３は、光源ユニット１８からの出射光を導光板１７の下端部に照射する。これにより、光源ユニット１８からの出射光が導光板１７に取り入れられ、その反射板１９の設置面と反対側の面から放出される。このため、バックライトユニット１３から、液晶表示パネル１２の背面全域に光を照射することができるようになる。
【００１７】
図２は、上記導光板１７及び光源ユニット１８を、光の出射側、つまり、液晶表示パネル１２側から見た状態の一例を示している。すなわち、導光板１７は、液晶表示パネル１２と略同じサイズ、つまり、液晶表示装置１１の映像表示画面と略同じサイズの光出射面を備えている。
【００１８】
また、光源ユニット１８は、導光板１７の下端部に沿って配設されるＬＥＤバー２０を備えている。このＬＥＤバー２０は、導光板１７の下端部に沿って配設される帯状の印刷配線基板２０ａと、この印刷配線基板２０ａ上にその長手方向に沿って一定の間隔で接続される複数のＬＥＤ２０ｂ，２０ｂ，……とを備えている。なお、この複数のＬＥＤ２０ｂ，２０ｂ，……としては、例えば白色ＬＥＤ等が採用されるものとする。
【００１９】
そして、これら複数のＬＥＤ２０ｂ，２０ｂ，……を通電駆動することにより、各ＬＥＤ２０ｂ，２０ｂ，……からの出射光が導光板１７の下端部に入射される。これにより、導光板１７に入射された光が、その光出射面から液晶表示パネル１２の背面に向けて照射されることになる。
【００２０】
ここで、この液晶表示装置１１では、映像表示画面の中央部の輝度（明るさ）を高くすることによって、視聴者が画面を見たときにおける表示映像の明るさ感を向上させるようにしている。
【００２１】
すなわち、映像表示画面の中央部の輝度を高くすれば、画面全体の輝度を高くしなくても、つまり、画面周縁部の輝度まで高くしなくても、視聴者に表示映像を明るいと感じさせることができる。これにより、光源となるＬＥＤ２０ｂ，２０ｂ，……の数や駆動電力を削減して省力化を図ることが可能となる。
【００２２】
なお、映像表示画面の中央部の輝度を画面周縁部の輝度に比してどの程度高くするか、つまり、映像表示画面の中央部の輝度と画面周縁部の輝度との差は、画面の明るさに関して視聴者に不自然さを感じさせない範囲に設定されることはもちろんである。
【００２３】
このように、映像表示画面の中央部の輝度を画面周縁部の輝度よりも高くするために、ＬＥＤバー２０を構成する複数のＬＥＤ２０ｂ，２０ｂ，……のうち、映像表示画面の中央部を照射する光を出射するＬＥＤ２０ｂ，２０ｂ，……の発光量を、画面の周縁部を照射する光を出射するＬＥＤ２０ｂ，２０ｂ，……の発光量よりも大きくするようにしている。
【００２４】
この場合、輝度を高くすべき映像表示画面の中央部とは、導光板１７（映像表示画面のサイズに対応）の水平方向の長さをＷとすると、導光板１７を水平方向に２分する中心線Ｌからそれぞれ左右方向に最大でＷ／４の長さをとった、合計の長さがＷ／２以下となる水平方向の範囲内とする。また、画面周縁部とは、上記した範囲外とする。
【００２５】
そして、上記した範囲内（映像表示画面の中央部）及び範囲外（画面周縁部）において、垂直方向の輝度は、それぞれ略均一に設定される。つまり、映像表示画面の中央部及び画面周縁部とは、画面の水平方向について範囲を規定したもので、画面の垂直方向については範囲の規定をしないようにしている。
【００２６】
このように、映像表示画面に対して、その水平方向における中央部の輝度を、その他の部分よりも高くすることにより、画面全体の輝度を高くしなくても、視聴者に表示映像を明るいと感じさせることができる。
【００２７】
すなわち、映像表示画面の中央部を、導光板１７の中央部で水平方向に最大でＷ／２の長さの範囲内とすることにより、その範囲内の輝度を画面周縁部の輝度よりも高く設定すれば、画面周縁部の輝度まで高くしなくても、視聴者に対して表示映像を明るいと感じさせる効果を得ることができる。
【００２８】
図３は、ＬＥＤバー２０を構成する複数のＬＥＤ２０ｂ，２０ｂ，……のうち、映像表示画面の中央部を照射する光を出射するＬＥＤ２０ｂ，２０ｂ，……の発光量を、画面の周縁部を照射する光を出射するＬＥＤ２０ｂ，２０ｂ，……の発光量よりも大きくする手段の一例を示している。
【００２９】
すなわち、映像表示画面の周縁部を照射する光を出射するＬＥＤ２０ｂ，２０ｂ，……、つまり、図３に示すＬＥＤバー２０において、その両端部の領域２０ｃ，２０ｃに設置されているＬＥＤ２０ｂ，２０ｂ，……を、１つのＬＥＤ筐体内に１つのＬＥＤチップが収容された通常の１チップＬＥＤとしている。
【００３０】
また、映像表示画面の中央部を照射する光を出射するＬＥＤ２０ｂ，２０ｂ，……、つまり、図３に示すＬＥＤバー２０において、その中央部の領域２０ｄに設置されているＬＥＤ２０ｂ，２０ｂ，……を、１つのＬＥＤ筐体内に２つのＬＥＤチップが収容された２チップＬＥＤとしている。これにより、映像表示画面の中央部に対する照射光量を画面周縁部に対する照射光量よりも大きくするようにしている。
【００３１】
図４は、上記導光板１７の変形例を示している。すなわち、この導光板１７の光出射面には、光源ユニット１８を構成するＬＥＤバー２０の長手方向、つまり、複数のＬＥＤ２０ｂ，２０ｂ，……の配列方向に直交する方向に、図５に一例を示すような山状あるいは溝状のレンズ部２１が形成されている。
【００３２】
このように、導光板１７の光出射面に、映像表示画面の垂直方向に沿ったレンズ部２１を形成することにより、光源ユニット１８から出射され導光板１７の下端部に入射した光は、無駄に拡散することなく導光板１７内を垂直方向に略均一に導かれて、その光出射面から液晶表示パネル１２の背面に出射されることになる。
【００３３】
また、図６に示すように、導光板１７のレンズ部２１を、光源ユニット１８（つまり、ＬＥＤ２０ｂ）から所定間隔２１ａだけ離間させて形成するようにしたり、図７に示すように、導光板１７のレンズ部２１のうち、光源ユニット１８（つまり、ＬＥＤ２０ｂ）の近傍に浅い傾斜を有するテーパ部２１ｂを形成したりすることによって、光源ユニット１８からの出射光を導光板１７内になだらかに広げることが可能となる。
【００３４】
次に、図８は、上記したＬＥＤバー２０を構成する、印刷配線基板２０と複数のＬＥＤ２０ｂ，２０ｂ，……との接続関係の一例を示している。なお、通常、ＬＥＤバー２０としては、導光板１７の水平方向の長さＷを有するものを形成するのではなく、導光板１７の水平方向の半分の長さＷ／２を有するものを形成し、それらをその長手方向に２つ並べて導光板１７の水平方向の長さＷに対応させるようにしている。このため、図８では、導光板１７の水平方向の半分の長さＷ／２を有するＬＥＤバー２０、つまり、図３に示したＬＥＤバー２０をその中央部で２分した一方を示している。
【００３５】
そして、１チップＬＥＤが使用されているＬＥＤ２０ｂ，２０ｂ，……、つまり、点線で囲んだＬＥＤ群２０ｅ内のＬＥＤ２０ｂ，２０ｂ，……は、印刷配線基板２０ａ上で順方向に直列に接続されている。
【００３６】
また、２チップＬＥＤが使用されているＬＥＤ２０ｂ，２０ｂ，……、つまり、点線で囲んだＬＥＤ群２０ｆ内のＬＥＤ２０ｂ，２０ｂ，……も、印刷配線基板２０ａ上で順方向に直列に接続されている。
【００３７】
この場合、ＬＥＤ群２０ｅ内のＬＥＤ２０ｂ，２０ｂ，……の順方向電圧の総和と、ＬＥＤ群２０ｆ内のＬＥＤ２０ｂ，２０ｂ，……の順方向電圧の総和とが、略等しくなるようにＬＥＤ群２０ｅ内のＬＥＤ２０ｂ，２０ｂ，……の数と、ＬＥＤ群２０ｆ内のＬＥＤ２０ｂ，２０ｂ，……の数とが設定されている。
【００３８】
換言すれば、ＬＥＤ群２０ｅ内のＬＥＤ２０ｂ，２０ｂ，……が有するＬＥＤチップの総数と、ＬＥＤ群２０ｆ内のＬＥＤ２０ｂ，２０ｂ，……が有するＬＥＤチップの総数とが同じになるように設定される。具体的に言えば、ＬＥＤ群２０ｅ内のＬＥＤ２０ｂ，２０ｂ，……（それぞれが１つのＬＥＤチップを有する）の数がｎ個であれば、ＬＥＤ群２０ｆ内のＬＥＤ２０ｂ，２０ｂ，……（それぞれが２つのＬＥＤチップを有する）の数はｎ／２個に設定される。
【００３９】
このように、ＬＥＤ群２０ｅ内のＬＥＤ２０ｂ，２０ｂ，……が有するＬＥＤチップの総数と、ＬＥＤ群２０ｆ内のＬＥＤ２０ｂ，２０ｂ，……が有するＬＥＤチップの総数とを同じにすることによって、ＬＥＤ群２０ｅ内の最も上流にあるＬＥＤチップのアノードと、ＬＥＤ群２０ｆ内の最も上流にあるＬＥＤチップのアノードとを、共通の＋電源端２０ｇに接続することができる。これにより、印刷配線基板２０ａ上における配線の引き回しを簡略化することができ、印刷配線基板２０ａの幅Ｔを短くすることができる。
【００４０】
なお、ＬＥＤ群２０ｅ内の最も下流にあるＬＥＤチップのカソードは、−電源端２０ｈに接続され、ＬＥＤ群２０ｆ内の最も下流にあるＬＥＤチップのカソードは、−電源端２０ｉに接続されている。
【００４１】
図９は、図８に示した各ＬＥＤ２０ｂ，２０ｂ，……の接続状態を等価回路で示している。すなわち、ＬＥＤ群２０ｅ内のＬＥＤ２０ｂ，２０ｂ，……が有するＬＥＤチップＤ１，Ｄ１，……は、直列に接続されている。また、ＬＥＤ群２０ｆ内のＬＥＤ２０ｂ，２０ｂ，……が有するＬＥＤチップＤ２，Ｄ２，……も、直列に接続されている。ＬＥＤチップＤ１，Ｄ１，……の数と、ＬＥＤチップＤ２，Ｄ２，……の数とは、同じである。
【００４２】
また、ＬＥＤチップＤ１，Ｄ１，……のうち最も上流にあるＬＥＤチップＤ１のアノードは、ＬＥＤチップＤ２，Ｄ２，……のうち最も上流にあるＬＥＤチップＤ２のアノードと共通に、＋電源端２０ｇに接続されている。
【００４３】
さらに、ＬＥＤチップＤ１，Ｄ１，……のうち最も下流にあるＬＥＤチップＤ１のカソードは、−電源端２０ｈに接続され、ＬＥＤチップＤ２，Ｄ２，……のうち最も下流にあるＬＥＤチップＤ２のカソードは、−電源端２０ｉに接続されている。
【００４４】
図１０は、上記のように接続されたＬＥＤチップＤ１，Ｄ１，……及びＬＥＤチップＤ２，Ｄ２，……を通電駆動するための駆動回路の一例を示している。すなわち、ＬＥＤチップＤ１，Ｄ１，……のうち最も下流にあるＬＥＤチップＤ１のカソードを、スイッチング素子Ｔ１及び抵抗Ｒ１を介して接地している。そして、入力端子２２に供給されるパルス幅変調信号によりスイッチング素子Ｔ１をスイッチング制御して、ＬＥＤチップＤ１，Ｄ１，……に流す電流量を制御することによりその発光量を制御している。
【００４５】
また、ＬＥＤチップＤ２，Ｄ２，……のうち最も下流にあるＬＥＤチップＤ２のカソードを、スイッチング素子Ｔ２及び抵抗Ｒ２を介して接地している。そして、入力端子２３に供給されるパルス幅変調信号によりスイッチング素子Ｔ２をスイッチング制御して、ＬＥＤチップＤ２，Ｄ２，……に流す電流量を制御することによりその発光量を制御している。
【００４６】
上記のような駆動回路によれば、入力端子２２，２３に供給するパルス幅変調信号のデューティー比を変更することにより、ＬＥＤチップＤ１，Ｄ１，……の発光量、つまり、映像表示画面の周縁部の輝度と、ＬＥＤチップＤ２，Ｄ２，……の発光量、つまり、映像表示画面の中央部の輝度とを、それぞれ独立に制御することができる。
【００４７】
このように、映像表示画面の中央部の輝度と周縁部の輝度とをそれぞれ独立に制御可能としたことにより、例えば、液晶表示装置１１を店頭で映像表示させる場合には、画面中央部と周縁部との輝度を高めた明るい画面での映像表示を行なって客の注意を引くことができる。
【００４８】
また、液晶表示装置１１を家庭で映像表示させる場合には、画面中央部の輝度を通常レベルとし、画面周縁部の輝度を通常レベル以下に下げることにより、視聴者に明るさ感を与えつつ、消費電力の低減を図ることができる。
【００４９】
さらに、映像の表示中に、例えばスクロールや高速再生等の特殊再生を行なったことによって、視聴者が表示映像の明るさに違和感を覚えるような事態が生じた場合にも、画面中央部と周縁部との輝度をそれぞれ制御することにより十分に対処することができる。
【００５０】
なお、例えば上記ＬＥＤ群２０ｅ内のＬＥＤ２０ｂ，２０ｂ，……の個数が多くなり、全てのＬＥＤ２０ｂ，２０ｂ，……を直列接続すると駆動電圧レベルを確保することができない場合には、ＬＥＤ群２０ｅ内のＬＥＤ２０ｂ，２０ｂ，……を所定の個数ずつに分け、その分けたＬＥＤ２０ｂ，２０ｂ，……をそれぞれ直列接続して複数の単位ＬＥＤ群を構成し、各単位ＬＥＤ群に駆動電圧を印加するようにする。
【００５１】
この場合、上記ＬＥＤ群２０ｅ，２０ｆを構成する全てのＬＥＤ２０ｂ，２０ｂ，……の順方向電圧の総和を、１つの単位ＬＥＤ群を構成するＬＥＤ２０ｂ，２０ｂ，……の順方向電圧の総和の略整数倍となるように設定すれば、各単位ＬＥＤ群の最も上流にあるＬＥＤのアノードを＋電源端に共通接続することができるので、図８で説明したように、印刷配線基板２０ａ上における配線の引き回しを簡略化することができるようになる。
【００５２】
図１１及び図１２は、それぞれ、上記ＬＥＤバー２０を構成する複数のＬＥＤ２０ｂ，２０ｂ，……のうち、映像表示画面の中央部を照射する光を出射するＬＥＤ２０ｂ，２０ｂ，……の発光量を、画面の周縁部を照射する光を出射するＬＥＤ２０ｂ，２０ｂ，……の発光量よりも大きくする手段の他の例を示している。
【００５３】
すなわち、図１１に示す例は、ＬＥＤバー２０の中央部の領域２０ｄに設置されるＬＥＤ２０ｂ，２０ｂ，……のチップ面積を、ＬＥＤバー２０の両端部の領域２０ｃ，２０ｃに設置されるＬＥＤ２０ｂ，２０ｂ，……のチップ面積の２倍にして、映像表示画面の中央部に対する照射光量を画面周縁部に対する照射光量よりも大きくするようにしている。
【００５４】
また、図１２に示す例は、ＬＥＤバー２０の中央部の領域２０ｄに設置されるＬＥＤ２０ｂ，２０ｂ，……の密度を、ＬＥＤバー２０の両端部の領域２０ｃ，２０ｃに設置されるＬＥＤ２０ｂ，２０ｂ，……の密度の２倍にして、映像表示画面の中央部に対する照射光量を画面周縁部に対する照射光量よりも大きくするようにしている。
【００５５】
さらに、ＬＥＤバー２０の中央部の領域２０ｄに設置されるＬＥＤ２０ｂ，２０ｂ，……に流す電流量を、ＬＥＤバー２０の両端部の領域２０ｃ，２０ｃに設置されるＬＥＤ２０ｂ，２０ｂ，……に流す電流量より多くすることによっても、映像表示画面の中央部に対する照射光量を画面周縁部に対する照射光量よりも大きくすることが可能である。
【００５６】
また、図３、図１１及び図１２で説明した手法や、ＬＥＤ２０ｂ，２０ｂ，……に流す電流量を可変する手法等を、適宜組み合わせることによっても、映像表示画面の中央部に対する照射光量を画面周縁部に対する照射光量よりも大きくすることができる。
【００５７】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００５８】
１１…液晶表示装置、１２…液晶表示パネル、１３…バックライトユニット、１４…画素駆動側の基板モジュール、１４ａ…ガラス基板、１４ｂ…偏光板、１４ｃ…透明導電膜、１４ｄ…配向膜、１５…対向電極側の基板モジュール、１５ａ…ガラス基板、１５ｂ…配向膜、１５ｃ…透明導電膜、１５ｄ…カラーフィルタ、１５ｅ…偏光板、１６…液晶層、１７…導光板、１８…光源ユニット、１９…反射板、２０…ＬＥＤバー、２０ａ…印刷配線基板、２０ｂ…ＬＥＤ、２０ｃ，２０ｄ…領域、２０ｅ，２０ｆ…ＬＥＤ群、２０ｇ…＋電源端、２０ｈ，２０ｉ…−電源端、２１…レンズ部、２１ａ…所定間隔、２１ｂ…テーパ部、２２，２３…入力端子、Ｄ１，Ｄ２…ＬＥＤチップ、Ｔ１，Ｔ２…スイッチング素子、Ｒ１，Ｒ２…抵抗、Ｌ…中心線。
【図１】
2014041725.tif 000003
【図２】
2014041725.tif 000004
【図３】
2014041725.tif 000005
【図４】
2014041725.tif 000006
【図５】
2014041725.tif 000007
【図６】
2014041725.tif 000008
【図７】
2014041725.tif 000009
【図８】
2014041725.tif 000010
【図９】
2014041725.tif 000011
【図１０】
2014041725.tif 000012
【図１１】
2014041725.tif 000013
【図１２】
2014041725.tif 000014